(57)【要約】【課題】ホルダーがＶ字形に開くドリップバッグにおいて、ドリップバッグの袋本体をカップの中心部よりに係止させる。【解決手段】内部に抽出材料が充填された通水性濾過性シート製の袋本体１０と、袋本体１０の側面に貼着した薄板状材料製のホルダー２０からなるドリップバッグであって、ホルダー２０が、中央折線２２で左右２つ折りにされて該中央折線２２が袋本体１０の側辺１１ｄと重なっている。ホルダー２０は、中央折線２２の上部、下部にそれぞれ中央折線と交わる第１の切断線２４、第２の切断線２５、第１の切断線の両端部からホルダーの上縁方向に伸びた一対の上部折込用折線２６、第２の切断線の両端部からホルダーの下縁方向に伸びた一対の下部折込用折線２８、ホルダーの左右両端部に引き起こし可能に形成された一対の係止用凹部片３１を有し、第２の切断線２５が中央折線２２に沿って下方に突出している。【選択図】図２
2008228937.tif 000002
【特許請求の範囲】
【請求項１】
通水性濾過性シートから形成され、内部に抽出材料が充填された袋本体と、
薄板状材料から形成され、袋本体の側面に貼着したホルダーからなるドリップバッグであって、
ホルダーは、中央折線で左右２つ折りにされて該中央折線が袋本体の側辺と重なっており、
中央折線の上部、下部にそれぞれ中央折線と交わる第１の切断線、第２の切断線、第１の切断線の両端部からホルダーの上縁方向に伸びた一対の上部折込用折線、第２の切断線の両端部からホルダーの下縁方向に伸びた一対の下部折込用折線、ホルダーの左右両端部に引き起こし可能に形成された一対の係止用凹部片を有し、第２の切断線が中央折線に沿って下方に突出しているドリップバッグ。
【請求項２】
抽出材料が、コーヒー粉又は茶葉である請求項１記載のドリップバッグ。
【発明の詳細な説明】
【技術分野】
【０００１】
本発明は、カップ等の容器の上部に掛止することにより、容易にドリップ式でコーヒー等の抽出液を得られるようにするドリップバッグに関する。
【背景技術】
【０００２】
一杯分のコーヒーを本格的なペーパードリップ方式で手軽に入れられるようにするドリップバッグとして、通水性濾過性シートからなる袋本体にコーヒー粉を充填し、その袋本体の側面にホルダーを貼着したものがある。このドリップバッグには、種々の形態のものがあるが、工業生産に適したものとして、板紙状部材の左右両端部にカップへの係止用凹部を形成し、それを中央折線で左右２つ折りにしたものをホルダーとし、中央折線と袋本体の側辺とが重なるように袋本体とホルダーとを貼着し、使用時にホルダーがＶ字型に開くようにしたものがある。また、このようにＶ字形に開くホルダーの開きを確実にし、ドリップの注湯時にＶ字形が閉じないようにするため、袋本体の開口部側のホルダーの折線近傍に折込部を設けたものが提案されている（特許文献１）。
【０００３】
【特許文献１】特開２００４−２４２８４７号公報
【発明の開示】
【発明が解決しようとする課題】
【０００４】
図６は、ホルダー２０がＶ字形に開く従来のドリップバッグ１ｘをカップ１００に係止した状態の上面図である。このように従来のドリップバッグ１ｘでは、カップ１００への係止が、ホルダー２０の左右両端部に形成された係止用凹部２１ａ、２１ｂと中央折線２２の下方に形成された係止用凹部２１ｃの合計３箇所でなされるため、袋本体１０がホルダー２０の中央折線２２側に偏る。そのため、特許文献１に記載されているようにホルダー２０の中央折線２２近傍に折込部２７が設けられていても、袋本体１０がカップ１００の内壁に相当の広さで接触する。したがって、袋本体１０内へ注湯すると、コーヒー抽出液が、袋本体１０とカップ１００の内壁との接触部分Ａからカップ１００の内壁をつたって速やかに流出し、本来の濃さのコーヒー抽出液を得られないという問題があった。
【０００５】
また、消費者は、ホルダー２０の左右両端部に形成された係止用凹部２１ａ、２１ｂに比して、中央折線２２の下方に形成された係止用凹部２１ｃが視認しづらく、ドリップ時に、ホルダー２０の左右両端部に形成された係止用凹部２１ａ、２１ｂだけでドリップバッグ１ｘをカップ１００に係止させ、そのためにドリップバッグ１ｘが傾き、袋本体１０内のコーヒー粉がカップ１００内にこぼれてしまうというトラブルも発生していた。
【０００６】
これに対し、本発明は、ホルダーがＶ字形に開くドリップバッグにおいて、ドリップバッグをカップに係止させたときの袋本体とカップの内壁との接触を低減もしくは解消し、適正な抽出速度を維持できるようにすること、及び、ホルダーの左右両端部に形成されている係止用凹部だけでなく、中央折線の下方に形成されている係止用凹部も消費者が確実に認識できるようにすることを目的とする。
【課題を解決するための手段】
【０００７】
本発明者らは、ホルダーがＶ字形に開くドリップバッグにおいて、ホルダーの中央折線の上部と下部にそれぞれ折込部を形成すると、上下２箇所の折込部によって袋本体がカップの内壁から離れ、袋本体とカップの内壁の接触による抽出速度の問題を解消できると共に、消費者は中央折線の下部の折込により係止用凹部を確実に認識できることを見出した。
【０００８】
即ち、本発明は、通水性濾過性シートから形成され、内部に抽出材料が充填された袋本体と、
薄板状材料から形成され、袋本体の側面に貼着したホルダーからなるドリップバッグであって、
ホルダーは、中央折線で左右２つ折りにされて該中央折線が袋本体の側辺と重なっており、
中央折線の上部、下部にそれぞれ中央折線と交わる第１の切断線、第２の切断線、第１の切断線の両端部からホルダーの上縁方向に伸びた一対の上部折込用折線、第２の切断線の両端部からホルダーの下縁方向に伸びた一対の下部折込用折線、ホルダーの左右両端部に引き起こし可能に形成された一対の係止用凹部片を有し、第２の切断線が中央折線に沿って下方に突出しているドリップバッグを提供する。
【発明の効果】
【０００９】
本発明のドリップバッグによれば、ホルダーの中央折線の上下に折込部が形成されているので、この上下２箇所の折込部で袋本体をカップの中央部側に押しつけ、袋本体とカップの内壁との接触を低減若しくは解消することができる。したがって、袋本体とカップの内壁の接触部分から、抽出液がカップ内壁をつたって過度に流出することを防止でき、適正な抽出速度を維持することが可能となる。
【００１０】
また、消費者は、ホルダーの左右両端部に形成された係止用凹部と中央折込線の下方に形成された係止用凹部を容易に認識することができ、ドリップバッグを確実に本来の用法でカップに係止させることが可能となる。
【発明を実施するための最良の形態】
【００１１】
以下、図面を参照しつつ本発明を詳細に説明する。なお、各図中、同一符合は、同一又は同等の構成要素を表している。
【００１２】
図１は、本発明の一実施例のコーヒー用のドリップバッグ１の平面図、図２は、それをカップに係止した状態の斜視図である。また、図３は、このドリップバッグ１の製造に使用するホルダー付きシート原反の平面図であり、図４はこのシート原反を用いたドリップバッグの製造方法の説明図である。
【００１３】
このドリップバッグ１は、通水性濾過性シートから形成され、内部に抽出材料が充填された矩形の袋本体１０と、袋本体１０の側面に貼着したホルダー２０からなっている。
【００１４】
袋本体１０を形成する通水性濾過性シートとしては、所定量のコーヒー粉を充填し、注湯した場合にコーヒーの浸出が可能であるものを種々使用することができる。一般に、浸出用シートとしては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類が知られており、本発明においてもこれらを使用することができるが、ドリップバッグの使用後の廃棄性の点から、通水性濾過性シート材料には生分解性繊維を含有させることが好ましい。生分解性繊維としては、ポリ乳酸、ポリブチレンサクシネート、ポリエチレンサクシネート等をあげることができる。また、ドリップ時にコーヒー粉に適度な蒸らし効果も付与できるようにするため、これらの繊維材料から通水性濾過性シートを製造するに際しては、繊維層の空隙率を調整することによりコーヒー粉に直接接することとなる層を「疎」とし、直接には接しない層を「密」とする疎密の複層構造とし、かつコーヒー粉に直接接することとなる層では疎水性繊維の含有率を高め、コーヒー粉に直接接しない層では疎水性繊維の含有率を下げることが好ましい（特許第3674486号）。
【００１５】
袋本体１０は、上辺１１ａ、下辺１１ｂ及び一側辺１１ｃでシールされており、残りの一側辺１１ｄは輪になっている。袋本体１０の上端部は、ホルダー２０の上辺に沿って形成された開封用のミシン目２３により、ドリップバッグ１の使用時に切除される。このシール部分とミシン目２３で切除される部分を除く、袋本体１０の正味の平面寸法は、開口径７０〜１０５ｍｍ程度の通常のカップに対して、幅Ｗ１を６０〜９０ｍｍ、高さＨ１を６０〜９０ｍｍとすることが好ましい。
【００１６】
一方、ホルダー２０は、板紙、プラスチックシート等の薄板状材料の打ち抜きにより形成されている。この薄板状材料も、ドリップバッグ１の使用後の廃棄性の点から、ポリ乳酸、ポリブチレンサクシネート、ポリエチレンサクシネート等の生分解性材料から形成したものが好ましい。
【００１７】
ホルダー２０は、中央折線２２で左右２つ折りにされ、その中央折線２２が袋本体１０の輪になっている側の側辺１１ｄと重なるように袋本体１０に貼着されている。
【００１８】
ホルダー２０には、中央折線２２の上部、下部にそれぞれ中央折線２２と交わる第１の切断線２４、第２の切断線２５が形成されている。第１の切断線２４の両端部からはホルダー２０の上縁２０ａ方向に一対の上部折込用折線２６が伸びており、第１の切断線２４と一対の上部折込用折線２６とで囲まれた部分が上部折込部２７となっている。
【００１９】
一方、第２の切断線２５の両端部からはホルダー２０の下縁２０ｂ方向に一対の下部折込用折線２８が伸びており、第２の切断線２５と一対の下部折込用折線２８とで囲まれた部分が下部折込部２９となっている。この第２の切断線２５は、中央折線２２に沿って下方に突出した形状をしている。したがって、下部折込部２９を図２の矢印のように押し込むと、第２の切断線２５の下方に係止用凹部２１ｃが形成されることとなる。
【００２０】
なお、図示した態様では、第１の切断線２４は中央折線２２に斜めに交わっており、中央折線２２を中心として対称的な「く」字形をしているが、第１の切断線２４の形はこれに限られず、概略水平方向であればよい。
【００２１】
また、中央折線２２から離れたホルダー２０の左右両端部には、ホルダーの側縁２０ｃからホルダー上縁２０ａに沿って延びた帯状部分３０の下方に、引き起こし可能に形成された一対の係止用凹部片３１が形成されている。係止用凹部片３１は係止用凹部２１ａ、２１ｂを有し、これら凹部２１ａ、２１ｂと、前述の第２の切断線２５の下方の係止用凹部２１ｃのホルダー上縁２０ａ側の辺と袋本体１０の下辺１１ｂとの距離Ｈ２は、１５〜３５ｍｍとなっている。この距離は、従来のドリップバッグにおける係止用凹部のホルダー上縁側の辺と袋本体の下辺との距離よりも短く、これによりこの実施例のドリップバッグ１では、ドリップ時に袋本体１０が抽出液に浸ることを防止している。
【００２２】
なお、ホルダー２０を袋本体１０に貼着する貼着部は、ドリップバッグ１の全体としての通水性を高める点から、袋本体１０を安定に支持できる限り、部分的に貼着することが好ましい。したがって、例えば、図１で細かいドットで塗りつぶしたように、貼着部は、袋本体１０の開口部の周囲と、係止用凹部片３１の基部近傍とし、他は非貼着領域とすることが好ましい。
【００２３】
このドリップバッグ１の使用方法としては、まず、ホルダー２０の開封用ミシン目２３からドリップバッグ１の上縁側を切除し、袋本体１０を開口する。
【００２４】
次に、第１の切断線２４と上部折込用折線２６で囲まれた上部折込部２７を、図２の矢印のように押し込み、また、第２の切断線２５と下部折込用折線２８とで囲まれた下部折込部２９も同図の矢印のように押し込む。これにより、中央折線２２で二つ折りになっているホルダー２０のＶ字形の開きを維持し、ドリップ時に閉じてしまうことを防止すると共に、中央折線２２近傍の袋本体１０を袋本体１０の中央部側に押し込む。
【００２５】
次に、３箇所の係止用凹部２１ａ、２１ｂ、２１ｃをカップ１００の上縁部に係止させ、袋本体１０の開口部から注湯し、カップ１００内にコーヒー抽出液を得る。図５はこのときの上面図である。同図に示したように、このドリップバッグ１によれば、ホルダー２０の上部折込部２７と下部折込部２９の２箇所で袋本体１０が袋本体の中央部側に押し込まれるので、袋本体１０とカップ１００の内壁との接触面積が低減若しくは解消し、コーヒー抽出液がカップ１００の内壁をつたって過度に速くカップ内に流出することを防止できる。
【００２６】
また、このようにドリップバッグ１をカップ１００に係止させた状態で、袋本体１０はコーヒー抽出液に浸らない。このため、美味しいコーヒーを入れることが可能となる。
【００２７】
ドリップバッグ１の製造方法としては、図３に示すように、長尺の通水性濾過性シートの原反４１にホルダー２０を所定間隔で並べて貼着したシート原反４０を用意し、これを包装充填機にかけ、図４に示すようにホルダーの中央折線２２で２つ折りにし、袋本体１０の側辺１１ｃと上辺と下辺が一体になっているので区分できない１１ａ、１１ｂを熱又は超音波等でシールしつつ、矢印のように順次コーヒー粉を充填することによりドリップバッグ１を上下に連続的に形成し、それを一つずつ切り離すことにより個々のドリップバッグを得る。
【００２８】
以上、袋本体にコーヒー粉を充填したコーヒードリップバッグについて、説明したが、本発明のドリップバッグに充填する抽出材料はコーヒー粉に限らず、紅茶、緑茶等の茶葉、漢方薬等を充填してもよい。
【産業上の利用可能性】
【００２９】
本発明のドリップバッグは、コーヒー粉を初めとする種々の抽出材料をドリップし、その抽出液を手軽に得る抽出具として有用である。
【図面の簡単な説明】
【００３０】
【図１】ドリップバッグの平面図である。
【図２】カップに係止した状態のドリップバッグの斜視図である。
【図３】ドリップバッグの製造に使用するホルダー付きシート原反の平面図である。
【図４】ホルダー付きシート原反を使用したドリップバッグの製造方法の説明図である。
【図５】実施例のドリップバッグをカップに係止させた状態の上面図である。
【図６】ホルダーがＶ字形に開く従来のドリップバッグをカップに係止させた状態の上面図である。
【符号の説明】
【００３１】
１      本発明のドリップバッグ
１ｘ    従来のドリップバッグ
１０      袋本体
１１ａ    上辺
１１ｂ    下辺
１１ｃ    側辺
１１ｄ    側辺
１２      ミシン目
２０      ホルダー
２０ａ    ホルダーの上縁
２０ｂ    ホルダーの下縁
２０ｃ    ホルダーの側縁
２１ａ、２１ｂ、２１ｃ      係止用凹部
２２      中央折線
２３      ミシン目
２４      第１の切断線
２５      第２の切断線
２６      上部折込用折線
２７      上部折込部
２８      下部折込用折線
２９      下部折込部
３０      帯状部分
３１      係止用凹部片
４０      シート原反
４１      通水性濾過性シートの原反
１００      カップ
Ａ        袋本体とカップ内壁との接触部分
Ｈ１      袋本体の高さ
Ｗ１      袋本体の幅
【図１】
2008228937.tif 000003
【図２】
2008228937.tif 000004
【図３】
2008228937.tif 000005
【図４】
2008228937.tif 000006
【図５】
2008228937.tif 000007
【図６】
2008228937.tif 000008